(57)【要約】【課題】  ユニットの挿入設置時に、外装開口部稜線近傍とユニットの接触を防止することができる画像形成装置を提供する。【解決手段】  外装面開口４から設置面６にスライド挿入して組付けるユニット５を有する画像形成装置において、ユニット挿入時にユニット５を浮かせて支持する突起１１を外装面開口４近傍の設置面６に設けた。【選択図】  図１
2006047516.tif 000002
【特許請求の範囲】
【請求項１】
側面に設けた開口内にユニットをスライド挿入して開口内底面の設置面上にユニットを定置させる画像形成装置において、ユニット挿入時にユニット底面に摺接してユニットを設置面から浮かせて支持する突起を設置面上に設けたことを特徴とする画像形成装置。
【請求項２】
突起は、ユニット挿入時にユニット底面が設置面に接触しない高さを有することを特徴とする請求項１の画像形成装置。
【請求項３】
側面に設けた開口内にユニットをスライド挿入して開口内底面の設置面上にユニットを定置させる画像形成装置において、設置面上に開口側が自由端の可撓性部材を斜めに設けたことを特徴とする画像形成装置。
【請求項４】
可撓性部材は、先端を下方に向けて屈曲させた構成を有することを特徴とする請求項３の画像形成装置。
【発明の詳細な説明】
【技術分野】
【０００１】
本発明は、外装面開口からスライド挿入して組付けるユニットを有する画像形成装置に関する。
【背景技術】
【０００２】
図１２は従来例に係る画像形成装置の全体斜視図である。この画像形成装置は、スキャナ部１、作像部２、給紙部３で構成されている。スキャナ部１では図示しない原稿の画像を読み込み、読み込まれた光学的な画像データは図示しない画像処理部にて電気的な画像データに処理される。電気的な画像データは、給紙部３から作像部２に給紙された記録紙上に可視像として画像形成される。給紙部３の前面にある開口部４内には給紙ユニット５を設けている。
図１３は給紙ユニットの斜視図、図１４は給紙ユニットを給紙部に装着する状態を示す図である。２段の給紙トレイ５−１を有する給紙ユニット５は、設置面６上をＡ方向にスライドして給紙部３内に押込まれ、固定ピン６−１、６−２で設置面６に取付けられる。
【発明の開示】
【発明が解決しようとする課題】
【０００３】
上述したように、給紙ユニット５は設置面６表面をスライドするため、開口部４の稜線７付近に、図１３に示すように擦り傷８が発生し外観不良となり易いと言う問題があった。従って給紙ユニット５の取付けには、細心の注意を払う必要があった。
本発明は、ユニットの挿入設置時に、外装開口部稜線近傍とユニットの接触を防止することができる画像形成装置を提供することを目的とする。
【課題を解決するための手段】
【０００４】
上記目的を達成するために、請求項１記載の発明では、側面に設けた開口内にユニットをスライド挿入して開口内底面の設置面上にユニットを定置させる画像形成装置において、ユニット挿入時にユニット底面に摺接してユニットを設置面から浮かせて支持する突起を設置面上に設けたことを特徴とする。
請求項２記載の発明では、突起は、ユニット挿入時にユニットが外装面開口に接触しない高さを有する請求項１の画像形成装置を主要な特徴とする。
請求項３記載の発明では、外装面開口から設置面にスライド挿入して組付けるユニットを有する画像形成装置において、外装面開口近傍の設置面に、開口側が自由端の可撓性部材を斜めに設けた画像形成装置を最も主要な特徴とする。
請求項４記載の発明では、可撓性部材は、先端を下方L字に曲げた請求項３の画像形成装置を主要な特徴とする。
【発明の効果】
【０００５】
本発明は、外装面開口から設置面にスライド挿入して組付けるユニットを有する画像形成装置において、ユニット挿入時にユニットを浮かせて支持する突起を外装面開口近傍の設置面に設けたことにより、また、外装面開口から設置面にスライド挿入して組付けるユニットを有する画像形成装置において、外装面開口近傍の設置面に、開口側が自由端の可撓性部材を斜めに設けたことにより、所期の目的を達成することができる。
【発明を実施するための最良の形態】
【０００６】
以下、本発明の実施の形態を図面に従って説明する。
図１は本発明の第１の実施形態に係る画像形成装置における給紙ユニットを給紙部に装着する状態を示す図、図２は同、装着後の状態を示す図である。なお、図１２、図１３と同一部分には同一符号を付して説明する。
本発明では、側面（前側面）に設けた開口４内にユニット５をスライド挿入して開口内底面の設置面６上にユニット５を定置させる画像形成装置において、ユニット挿入時にユニット底面に摺接してユニットを設置面から浮かせて支持する突起１１を設置面上に設けた構成が特徴的である。
設置面６の手前側稜線７の付近に突起１１を設けている。このようにすると給紙ユニット５をＡ方向にスライドして押込んでも稜線７付近が給紙ユニット５の下面に直接接触していないので、擦り傷８の発生を抑えることができる。また図２に示すように突起１１は、給紙ユニット５を設置面６上の所定位置にセットした後は、給紙ユニット５の下面には干渉せず、給紙ユニット５の前面と稜線７との間に位置するように位置決めされている。
【０００７】
図３は本発明の第１の実施形態の変形例に係る画像形成装置における給紙ユニットを給紙部に装着する状態を示す図、図４は図３に示す状態の拡大図である。
給紙ユニット５が重い場合、給紙ユニット５を挿入当初から設置面６とほぼ平行にして挿入することができず、給紙ユニット５の手前側(図の右側)が下がって、奥側の底面が、稜線７に接触する可能性がある（図３）。この場合には、突起１１を設けたとしても、稜線７とその周辺に傷がつく虞がある。
そこで、突起１１の高さＢを、給紙ユニット５が床１０に当たって規制される角度Ｃより、稜線７と突起１１の先端１２を結んだ角度Ｄが大きくなるように設定して、給紙ユニット５が稜線７に接触するのを防ぎ、設置作業を容易にしている。
【０００８】
図５は本発明の第２の実施形態に係る画像形成装置における設置面を示す図、図６は設置面の一部の拡大図、図７は本発明の第２の実施形態に係る画像形成装置における給紙ユニット装着後の状態を示す図である。
設置面６の稜線７付近に跳ね上がったマイラー（可撓性部材）２１を設けている。つまり、板バネ等から成るマイラー２１の奥側端部２１ａを所定幅に亘って設置面６上に固定する一方で、手前側の端部（自由端部）はフリーな状態にしておく。給紙ユニット装着時はマイラー２１をＥ方向(設置面６に倒す方向)に押えて、この上を給紙ユニット５がスライドするため、稜線７付近が保護されて擦り傷８の発生を抑えることができる。
マイラー２１は、図７に示すように、給紙ユニット５を所定の位置にセット後は、給紙ユニット５から外れる位置に設けている。また、外からも見えにくい位置である。
【０００９】
図８は本発明の第２の実施形態の変形例に係る画像形成装置における設置面を示す図、図９は設置面の一部の拡大図、図１０は本発明の第２の実施形態の変形例に係る画像形成装置における給紙ユニット装着後の状態を示す図である。
マイラー（可撓性部材）２１の先端（自由端）に下方へ屈曲した曲げ部２２を形成している。給紙ユニット装着時はマイラー２１をＥ方向に押えながら曲げ部２２を押し広げるため、稜線７付近を確実に保護することができ、擦り傷８の発生を抑える効果が大きい。
図１１は本発明の第３の実施形態に係る画像形成装置の全体斜視図である。給紙ユニット５の左右にカバー９が設けられ、設置面６を被覆している。この構成により、仮に稜線７付近に擦り傷８があっても隠すことができる。勿論第１、第２の実施形態と同じ構造を有していてもよい。
【図面の簡単な説明】
【００１０】
【図１】本発明の第１の実施形態に係る画像形成装置における給紙ユニットを給紙部に装着する状態を示す図である。
【図２】図１の装着後の状態を示す図である。
【図３】本発明の第１の実施形態の変形例に係る画像形成装置における給紙ユニットを給紙部に装着する状態を示す図である。
【図４】図３に示す状態の拡大図である。
【図５】本発明の第２の実施形態に係る画像形成装置における設置面を示す図である。
【図６】設置面の一部の拡大図である。
【図７】本発明の第２の実施形態に係る画像形成装置における給紙ユニット装着後の状態を示す図である。
【図８】本発明の第２の実施形態の変形例に係る画像形成装置における設置面を示す図である。
【図９】設置面の一部の拡大図である。
【図１０】本発明の第２の実施形態の変形例に係る画像形成装置における給紙ユニット装着後の状態を示す図である。
【図１１】本発明の第３の実施形態に係る画像形成装置の全体斜視図である。
【図１２】従来例に係る画像形成装置の全体斜視図である。
【図１３】従来例に係る給紙ユニットの斜視図である。
【図１４】従来例に係る給紙ユニットを給紙部に装着する状態を示す図である。
【符号の説明】
【００１１】
４  開口部(外装面開口)
５  給紙ユニット(ユニット)
６  設置面
１１  突起
【図１】
2006047516.tif 000003
【図２】
2006047516.tif 000004
【図３】
2006047516.tif 000005
【図４】
2006047516.tif 000006
【図５】
2006047516.tif 000007
【図６】
2006047516.tif 000008
【図７】
2006047516.tif 000009
【図８】
2006047516.tif 000010
【図９】
2006047516.tif 000011
【図１０】
2006047516.tif 000012
【図１１】
2006047516.tif 000013
【図１２】
2006047516.tif 000014
【図１３】
2006047516.tif 000015
【図１４】
2006047516.tif 000016